(57)【要約】【課題】  従来のごみ袋には、行政名や容量など表示したのみで無味乾燥で単なる収納機能しかないため、愛や優しさを想起させる女性の顔や唇、子供の顔を表示することで、ごみ資源や廃棄物などに対する関心やコミニュケーションを生むことができるごみ袋を提供する。【解決手段】  矩形状を成す縦長の上部に収納口１を有するごみ袋２の下部に、行政名や容量などの一般表示３をし、その上部の中ほど面に、愛や優しさを想い起こさせる顔または顔の部分図絵４として女性の顔絵５を表示を施したごみ袋２を構成する。【選択図】  図１
2005060100.tif 000002
【特許請求の範囲】
【請求項１】
ごみ袋の表面に、愛や優しさを感じさせる顔または顔の部分絵を表示して成る愛を想起させる図絵を表示したごみ袋。
【請求項２】
顔または顔の部分図絵が、女性の顔である請求項１に記載する愛を想起させる図絵を表示したごみ袋。
【請求項３】
顔または顔の部分図絵が、女性の唇である請求項１に記載する愛を想起させる図絵を表示したごみ袋。
【請求項４】
顔または顔の部分図絵が、子供の顔である請求項１に記載する愛を想起させる図絵を表示したごみ袋。
【発明の詳細な説明】
【発明の詳細な説明】
【技術分野】
【０００１】  本発明は、ごみ袋に愛や優しさを想起させる図絵を表示することで、汚れ物や廃棄物などの資源や環境問題の関心を高めるとともに、近隣の人々のコミニュケーションを生むことができるごみ袋に関する。
【背景技術】
【０００２】  従来より、家庭や企業などから出るごみは合成樹脂製の袋に、可燃ごみと不燃ごみに分別したごみを収納して捨てている。そのごみ袋は、３０リットル〜７０リットル用の大きさの袋があり、また形は地域により異なるが単なる長方形タイプ以外に、買い物の際に頂くような両サイドに突片を設けたごみ袋もあり、それらのごみ袋には行政名や袋の容量などを表示している。【０００３】  さらに、ごみ袋に別の表示をしたタイプとしては、残飯や生ごみが入ったごみ袋をカラスが食い散らかしたりするのを防止する目的で、袋に目玉マークを表示したごみ袋も提供されている。（例えば、特許文献１。）参照。【０００４】
【特許文献１】      公開実用新案平１−１２３６０２号公報
【発明が解決しようとする課題】
【０００５】  上記するようなごみ袋があるが、まず一般的に提供されているごみ袋面には、行政名や使用者の名前欄、容量など表示しただけであるため、無味乾燥な感じを与えるだけの単なる収納袋の域を出ない形態であるため、新しい時代や多様なニーズに応えられるごみ袋ではなかった。
【０００６】  他方、公開実用新案平１−１２３６０２号公報に示すごみ袋は、集積所に集めたごみ袋をカラスが突いたり食い散らかすのを防止するために、袋の表面にカラスが警戒する目玉マークを表示したごみ袋であるが、知能が高いカラスは最初は警戒して寄り付かないが、慣れてくると目玉マークがあるなしに関わらずごみ袋を食い散らかすので役に立たなくなる上、目玉マークの表示は多くの人々が目にする公衆の場に晒す表示としては好ましいものでない。またごみ資源や環境問題を身近に感じさせるような、表示や工夫など施したごみ袋も期待されているが現状では提供されていない。本発明は以上のような従来の欠点や不便を解消するために成されるものであり、以下、その解決手段を示す。
【課題を解決するための手段】
【０００７】  上記のような不便や欠点を解消するために、愛を想起させるような表示を施したごみ袋とするため、請求項１に記載におけるごみ袋は、ごみ袋に愛や優しさを感じさせる人物の顔または顔の部分図絵を表示したごみ袋を構成する。
【０００８】  請求項２においては、上記の顔または顔の部分図絵が、女性の顔絵を表示することで愛を想起させるごみ袋とする。
【０００９】  請求項３においては、上記の顔または顔の部分図絵が、女性の唇絵を表示することで愛を想起させるごみ袋を形成する。
【００１０】  請求項３においては、上記の顔または顔の部分図絵が、赤ちゃんや幼児などの子供の顔絵を表示することで愛や優しさ想起させるごみ袋とするが、以下、さらに具体的に各実施の形態を詳述する。
【発明を実施するための最良の形態】
【００１１】  本発明における第１の実施の形態のごみ袋を図１に示す正面図と図２に示す使用状態の参考図を参照して説明する。【００１２】  第１の実施の形態においては、矩形状を成す縦長の上部に収納口１を有するごみ袋２の下部に、行政名や容量などの一般表示３をして成る前記ごみ袋２の中ほど面に、愛や優しさを想い起こさせる顔または顔の部分図絵４として、女性の顔絵５を表示を施したごみ袋２を構成する。【００１３】  本実施の形態に示すごみ袋１は、シンプルなごみ袋の中ほど面に愛や優しさを想い起こすような優しい女性の顔絵５を表示しているので、ごみの汚れイメージを和らげる効果がある。【００１４】  第２の実施の形態によりごみ袋を図３に示す正面図を参照して説明する。【００１５】  本実施の形態に示すごみ袋２は、前記タイプと異なり、買い物時に店から頂く買い物袋のように上部の左右両サイドに突片６を有し、その間に収納口１を形成するタイプであるが、そのごみ袋２の下部には前記タイプ同様に一般表示３を施し、かつ上部の中ほど面には顔または顔の部分絵４とする女性の唇絵７を表示したごみ袋２を構成する。【００１６】  この実施の形態におけるごみ袋２には女性の唇絵７を表示することで愛を想起させるキスをイメージさせるので、ごみに対する親近感や話題性を高め、かつ汚れや嫌悪感を和らげたり払拭させるイメージ効果がある。【００１７】  第３の実施の形態におけるごみ袋を図４に示すごみ袋の正面図を参照して説明する。【００１８】  本実施の形態に示すごみ袋２は、前記した第１の実施の形態に示したタイプと同様のごみ袋２であり、そのごみ袋２の下部には前記同様に一般表示３施し、かつその上部中ほど面に表示する顔または顔の部分絵４として、赤ちゃんや幼児などの子供の顔絵８を表示したごみ袋２を構成する。【００１９】  第３の実施の形態によるごみ袋２には、赤ちゃんや幼児など可愛い子供の顔絵８を表示しているので、未来ある子供のために今のごみ資源や環境問題を考えさせるイメージ効果を得る。【００２０】  本発明は以上のような顔または顔部分絵を表示したごみ袋２であるが、女性や子供の顔以外に男性の顔でもよく、また人物以外に可愛い犬や猫その他の動物の顔またはキャラクターの顔などを表示しても構わないものである。
【発明の効果】
【００２１】  この発明のごみ袋は以上のような構成により、次に示すような効果や特徴を持つごみ袋である。行政名や袋の容量、出した人の名前欄などの表示のみならず、優しい女性の顔やキスを連想させる女性の唇、純真無垢で未来を担う子供の顔絵などの表示を施しているので、従来のような無味乾燥な感じを与えるだけのごみ袋でなく、ごみを介して人々の愛や優しさ、資源、環境問題などについて人々の関心を高めたり考えさせることはもとより、ごみの分別意識を高められるごみ袋である。
【００２２】  さらに女性の顔や唇、赤ちゃんや幼児を含む子供の顔を表示することで愛を想起させる効果を与えることに加え、近隣の人々との親近感を生み出したり、会話のきっかけやコミニュケーションも生まれるユニークなごみ袋である。また汚れや匂いなどあるごみ処理に対しての嫌悪感やアレルギーを排除する効果も得るだけでなく、自分のごみ処理のみならず、他人のごみを収集する専門業者にとっても和みや安らぎ感が生まれるため、精神的または肉体的な疲労軽減効果があるとともに、作業効率も上げられる従来には見られないごみ袋である。
【００２３】  加えて、袋に顔や顔の部分図絵を表示する方法は、従来の袋の表面に印刷するだけでよいので、面倒や難しさもなく従来と同じコストで広く提供できる新しいタイプのごみ袋を提供する。
【図面の簡単な説明】
【図１】第１の実施の形態によるごみ袋を示す正面図である。
【図２】ごみ袋の使用状態を示す参考図である。
【図３】第２の実施の形態によるごみ袋を示す正面図である。
【図４】第３の実施の形態によるごみ袋を示す正面図である。
【符号の説明】
１・収納口
２・ごみ袋
３・一般表示
４・顔または顔の部分図絵
５・女性の顔絵
６・突片
７・女性の唇絵
８・子供の顔絵
【図１】
2005060100.tif 000003
【図２】
2005060100.tif 000004
【図３】
2005060100.tif 000005
【図４】
2005060100.tif 000006